(57)【要約】【課題】  交換式のセグメント状スタイラスを備えた鍵複製機用スタイラスを提供する。【解決手段】  鍵複製機用スタイラスは、円筒形本体（１）と、この円筒形本体の一端に移動自在に係合した、スライドスピンドル（３１）を備えたばね負荷されたトレーサー（３）と、鍵の複製中に損傷した、磨耗した交換式のセグメント状スタイラスを新たなスタイラスと容易に交換するため、スライドスピンドルの前端に取り外し式に固定された交換式のセグメント状スタイラス（３６）と、円筒形本体の他端に角度的に移動可能に係合した調節グリップ（４）とを含む。【選択図】  図２
0003128834.tif 000002
【実用新案登録請求の範囲】
【請求項１】
交換式のセグメント状スタイラスを備えた鍵複製機用スタイラスにおいて、
円筒形本体と、
前記円筒形本体の一端に移動自在に係合したスライドスピンドルを備えたばね負荷されたトレーサーと、
交換式のセグメント状スタイラスであって、鍵の複製中に損傷した前記を新たなスタイラスと容易に交換するため、前記スライドスピンドルの前端に取り外し式に固定された交換式のセグメント状スタイラスと、
前記円筒形本体の他端に角度的に移動可能に係合した調節グリップとを含む、鍵複製機用スタイラス。
【請求項２】
請求項１に記載の交換式のセグメント状スタイラスを備えた鍵複製機用スタイラスにおいて、
前記調節グリップは、
ディスクと、
前記ディスクの中央に垂直に固定されたねじであって、前記円筒形本体の他端に螺合し、前記スライドスピンドルの一端に押し付けるため、端部分が前記円筒形本体内に延びる、ねじと、
前記スライドスピンドルを押圧し、前記スライドスピンドルの他端を前記円筒形本体から露呈できるようにするため、前記円筒形本体の前記一端の内部に受け入れられた圧縮ばねと、
前記スライドスピンドルの平らな部分と接触してこれを案内するため、前記円筒形本体の前記一端に固定されたガイドとを含む、鍵複製機用スタイラス。
【請求項３】
請求項２に記載の交換式のセグメント状スタイラスを備えた鍵複製機用スタイラスにおいて、
前記圧縮ばねは、前記スピンドルを前記ねじの端部に押し付けることができるようにするために前記スライドスピンドルを後方に押圧するため、前記円筒形本体の前側の内壁と前記スライドスピンドルの中間部の周囲との間に、及び前記スライドスピンドルに横方向に固定されたＣ形状ストッパと前記円筒形本体の前記一端に固定された環状カバーシートとの間に係合している、鍵複製機用スタイラス。
【考案の詳細な説明】
【技術分野】
【０００１】
本発明は、鍵複製機用スタイラスに関し、更に詳細には、交換式のセグメント状スタイラスを備えた鍵複製機用スタイラスに関する。本発明による装置の主要構成要素には、円筒形本体と、ばね負荷されたトレーサーと、円筒形本体の他端に係合した、角度的に移動可能な調節グリップとが含まれる。ばね負荷されたトレーサーは、円筒形本体の一端に移動自在に係合したスライドスピンドルと、磨耗した交換式のセグメント状スタイラスを新たなスタイラスと容易に交換するため、スライドスピンドルの前端に取り外し式に固定された交換式のセグメント状スタイラスとを含む。
【背景技術】
【０００２】
歯が波形のパターンをなして並んだシリンダー錠用の鍵を複製するための鍵複製機用の従来のスタイラスには、固定式の楔形スタイラスと、端部が斜めになったばね負荷された半円筒形スタイラスとの２種類のスタイラスが含まれる。これらの固定式の楔形スタイラス及びばね負荷された半円筒形スタイラスは、両方とも、硬度を高めるために製造中に熱処理を加えなければならない、例えば中炭素鋼等の硬質材料によって一体成形されているが、オリジナルの鍵に形成された歯の波形パターンとぴったりと接触してこれをトレースするスタイラスの先端は、鍵の複製中に歯の波形パターンを何回もトレースするときに磨耗してしまう。スタイラスの先端がひどく磨耗してしまうと、オリジナルの鍵に形成された歯の波形パターンのトレースが不正確になってしまい、そのため、鍵が不正確に刻まれることになる。即ち、形成された鍵の歯の深さが不正確になってしまう。概括的に述べると、中炭素鋼を材料として形成されたスタイラスを２００００回乃至３００００回使用すると、スタイラスの先端はひどく磨耗するが、スタイラスの残りの損傷していない部品は有用であり、スタイラス全体が廃棄されてしまう。
【考案の開示】
【考案が解決しようとする課題】
【０００３】
本発明の目的は、上述の欠点をなくすことであり、交換式のセグメント状スタイラスを備えた鍵複製機用スタイラスを提供する。本発明のスタイラスでは、鍵を複製する上での正確さを向上するため、及びスタイラスの費用を節約するため、磨耗した交換式のセグメント状スタイラスを新たなスタイラスと容易に交換するため、交換式のセグメント状スタイラスを、トレーサーとして使用するために提供する。
【課題を解決するための手段】
【０００４】
本発明の好ましい特徴では、交換式のセグメント状スタイラスを備えた鍵複製機用スタイラスは、円筒形本体と、この円筒形本体の一端に移動自在に係合したスライドスピンドルを持つばね負荷されたトレーサーと、磨耗した交換式のセグメント状スタイラスを新たなスタイラスと容易に交換するため、スライドスピンドルの前端に取り外し式に固定された交換式のセグメント状スタイラスと、円筒形本体の他端に係合した調節グリップとを含む。
次に、本発明の一実施例を、添付図面を参照して例として説明する。
【考案を実施するための最良の形態】
【０００５】
図１、図２、及び図３を参照すると、本発明の一実施例である、交換式のセグメント状スタイラスを備えた鍵複製機用スタイラスは、円筒形本体１と、一端が円筒形本体の周囲に横方向に固定されており、他端が、鍵複製機（図示せず）の支持体上に、様々なクランプ装置の様々な複製距離に適合するために横方向に移動自在に配置されたアーム２と、円筒形本体１の一端に移動自在に係合したばね負荷された引込み式のトレーサーと、円筒形本体の他端に角度的に移動可能に係合した調節グリップとを含む。
【０００６】
ばね負荷された引込み式のトレーサー３は、円筒形本体１の前側の内部に移動自在に係合できる、前端を円筒形本体から露呈されたままにするスライドスピンドル３１と、このスライドスピンドルを後方に押圧するため、円筒形本体１の前側の内壁とスライドスピンドル３１の中間部の周囲との間に、及びスライドスピンドルに横方向に固定されたＣ形状ストッパ３３と円筒形本体の前端に固定された環状カバーシート３４との間に係合した圧縮ばね３２と、スライドスピンドルを配置するため、スライドスピンドルの中間部に横方向に固定された、円筒形本体の前側の側壁に形成された細長い楕円形のスロット１１内に突出した横方向ストッパ３５と、中炭素鋼で形成された、比較的小さな別体のセグメント状ブロックで形成された、楔状セグメント状スタイラス３６とを含む。楔状セグメント状スタイラス３６には、取り外し式のセグメント状スタイラスを形成するためにスライドスピンドルの前側の平らな部分に楔状セグメント状スタイラスを皿小ねじで固定できるようにするため、座ぐりが形成されている。更に、本発明では、ばねを備えたねじ３８が、円筒形本体１の中間部の上壁に設けられている。これは、ねじ３８を回すことによってスライドスピンドル３１に押し付けるためである。これにより、スライドスピンドルの移動を停止でき、スタイラスを固定でき、ねじ３８を緩めることによって、ばね負荷された引込み式のトレーサーに復帰できる。更に、ガイド３９が環状カバーシート３４に固定されている。ガイドには、スライドスピンドルの前側の平らな部分と接触してこれを案内するための直立した案内面が形成されている。ばね負荷された引込み式のトレーサーから及ぼされた引っ込め方向でのばね力によってスライドスピンドルの上下方向移動を支持するため、及び楔状セグメント状スタイラスを常に直立状態に維持するためである。
【０００７】
調節グリップ４は、ディスク４１と、円筒形本体の後側の内部に設けられた雌ねじ部分４３と係合するため、ディスクの中央部分に固定されたねじ４２とを含む。ねじ４２の端部分は、ねじ４２をスライドスピンドルの後端部分に押し付けることができるように、雌ねじ部分に亘って延びている。これは、セグメント状スタイラスの移動量を微調整する目的を達成するため、ディスク４１を時計廻り方向に僅かに回すことによってスライドスピンドル３１を僅かに前方に移動させるため、又はディスク４１を僅かに反時計廻り方向に回すことによって、圧縮ばね３２から及ぼされたばね力でスライドスピンドル３１を僅かに後方に移動できるようにするためである。圧縮ばね４４を受け入れ、ねじ４２を通すための比較的大きなスロット１２が円筒形本体の後側の中央部分に設けられている。これは、鍵複製機の作動により生じる振動によるねじ４２の移動を、圧縮ばね４４から及ぼされたばね力によって阻止するために圧縮ばね４４をディスク４１に押し付けることができるようにするためである。本発明では、ばねを備えたねじ４５が円筒形本体の後端壁に係合している。これは、ねじ４２が移動しないようにし、ばね負荷された引込み式のトレーサーを無効にし、固定式のスタイラスにするため、ねじ４５を回すことによってねじ４２に押し付けるためである。しかしながら、ねじ４５を緩めるだけで、ばね負荷された引込み式のトレーサーに、効果的に、復帰できる。更に、ねじ４２が円筒形本体から外れないようにするため、ねじ４２の端部にスピードナット（ｓｐｅｅｄ  ｎｕｔ）４６が固定されている。
【０００８】
上文中に説明したように、本発明による楔状セグメント状スタイラスは、比較的小さな別体のセグメント状ブロックに形成され、スライドスピンドルの前側の平らな部分に取り外し式に固定されているため、楔状セグメント状スタイラスが磨耗し、役に立たなくなった後、スタイラスの組全体をなくすことなく、このような比較的小さな別体のセグメント状スタイラスを新たなスタイラスと容易に交換できる。これは、鍵の複製精度を高度に維持するため、及びスタイラスの費用を節約するためである。
【図面の簡単な説明】
【０００９】
【図１】図１は、本発明による交換式セグメント状スタイラスを備えた鍵複製機用のスタイラスの斜視図である。
【図２】図２は、本発明による交換式セグメント状スタイラスを備えた鍵複製機用のスタイラスの部分断面平面図である。
【図３】図３は、本発明による交換式セグメント状スタイラスを備えた鍵複製機用のスタイラスの部分断面正面図である。
【符号の説明】
【００１０】
１  円筒形本体
２  アーム
３  トレーサー
４  調節グリップ
１１  スロット
１２  スロット
３１  スライドスピンドル
３２  圧縮ばね
３３  Ｃ形状ストッパ
３４  環状カバーシート
３５  横方向ストッパ
３６  楔状セグメント状スタイラス
３８  ねじ
３９  ガイド
４１  ディスク
４２  ねじ
４３  雌ねじ部分
４４  ばね
４５  ねじ
４６  スピードナット
【図１】
0003128834.tif 000003
【図２】
0003128834.tif 000004
【図３】
0003128834.tif 000005